(57)【要約】【目的】ガラス管が破損してもガラスの破片が飛散しにくく、汚れが目立ちにくく、ガラスが本来有する高級感を損なうことのない建築用ガラス管を提供することである。【構成】ガラス管２１と、該ガラス管２１の内面２１ａに接着された被膜層２２を備えてなることを特徴とする。【選択図】　　　　図１
2004052259.tif 000002
【特許請求の範囲】
【請求項１】
ガラス管と、該ガラス管の内面に接着された被膜層を備えてなることを特徴とする建築用ガラス管。
【請求項２】
管状体または棒状体がガラス管の内孔内に挿置され、被膜層の内面に接着してなることを特徴とする請求項１に記載の建築用ガラス管。
【請求項３】
請求項１または２に記載の建築用ガラス管の複数本を並列してなることを特徴とする建築用部材。
【発明の詳細な説明】
【０００１】
【発明の属する技術分野】
本発明は、建築用ガラス管および建築用部材に関するものである。
【０００２】
【従来の技術】
従来、ガラス管は、蛍光灯やネオンサイン等の照明装置に用いられてきたが、近年、建築物の形状や装飾の多様化に伴って、機能性やデザインの面からガラス管が建築物に使用されるようになってきた。
【０００３】
例えば、図４に示すように複数本の建築用ガラス管１０を並列した建築用部材１１は、採光性を有し圧迫感が少ないため間仕切りや衝立として使用されたり、建築用ガラス管１０が曲面を有し、反射光や屈折光がかもし出す表情がユニークであるため内外壁面の装飾材料として使用されたり、または、建築用ガラス管１０の曲面で光が屈曲し、ブラインドとして機能するため日よけルーバーとして使用されている。
【０００４】
【発明が解決しようとする課題】
上記の建築用ガラス管は、衝撃を受けると破損し、ガラスの破片が飛散するおそれがあった。このようなガラスの破片の飛散を防止するためには、建築用ガラス管の外表面に透明な樹脂フィルムを貼り付けることが有効である。
【０００５】
しかし、このような建築用ガラス管を外装材として使用すると、建築用ガラス管の外表面に貼り付けられている樹脂フィルムに傷がつきやすく、直接風雨等にさらされると樹脂フィルムについた傷の周辺が劣化しやすく、ガラス管と樹脂フィルムとの接着がはがれやすい。そのため、建築用ガラス管は、ガラス管が破損した場合、ガラスの破片の飛散を防止しにくい。
【０００６】
また、建築用ガラス管の外表面が汚れると、樹脂フィルムについた傷に汚れが入り込み、汚れが目立ちやすいため建築用ガラス管の美観が損なわれる。さらに、この建築用ガラス管は、外表面がガラスでなく樹脂であるためガラスが本来有する質感を失い、高級感が損なわれたものになる。
【０００７】
本発明の目的は、ガラス管が破損してもガラスの破片が飛散しにくく、汚れが目立ちにくく、ガラスが本来有する高級感を損なうことのない建築用ガラス管を提供することである。
【０００８】
【課題を解決するための手段】
本発明の建築用ガラス管は、ガラス管と、該ガラス管の内面に接着された被膜層を備えてなることを特徴とする。
【０００９】
【作用】
本発明の建築用ガラス管は、ガラス管と、該ガラス管の内面に接着された被膜層を備えてなるため、ガラス管が破損してもガラスの破片の飛散を防止できる。すなわち、建築用ガラス管を外装材として使用しても、ガラス管の内面に被膜層が形成されているため、被膜層に傷がつきにくく、また、直接風雨等にさらされることがなく、被膜層が劣化しにくいため、ガラス管と被膜層との接着がはがれにくいからである。
【００１０】
また、本発明の建築用ガラス管は、外表面がガラスであるため、傷がつきにくく、汚れが目立ちにくい。さらに、ガラスの本来有する高級感が損なわれない。
【００１１】
本発明の建築用ガラス管は、管状体または棒状体がガラス管の内孔内に挿置されて被膜層の内面に接着してなると、ガラス管が被膜層を介して管状体または棒状体によって支持されているため破損しにくく、また、ガラス管が破損し、仮に、被膜層も破断したとしても、管状体または棒状体によってガラスの破片が保持されるため、ガラスの破片の飛散を防止できる。また、被膜層が、ガラス管と、管状体または棒状体とによって挟まれて外気にさらされないため、被膜層が劣化しにくく、被膜層とガラス管との接着がはがれにくい。
【００１２】
本発明の建築用ガラス管は、ガラス管の材質としては特に制限がないが、ホウ珪酸ガラスであると表面に傷がつきにくいため好ましい。
【００１３】
ガラス管は、内面がシランカップリング剤等によって表面処理されてなると、被膜層との接着性を高めることができる。
【００１４】
また、ガラス管は、断面形状が真円であっても、楕円のような異形であっても良く、直管であっても、アーチ状、波状またはらせん状等の曲がった管であっても良い。
【００１５】
被膜層は、ガラス管が破損した際にガラスの破片を保持できる接着力を有し、破断しにくいものであればよく、樹脂やゴム等が使用可能である。また、被膜層は１枚または複数枚の層から構成されていても、被膜層がガラス管の内孔内をすべて充填していても構わない。
【００１６】
樹脂としては、エポキシ樹脂、不飽和ポリエステル樹脂、オキセタン樹脂、シリコーン樹脂、ウレタン樹脂、ポリカーボネート樹脂、ポリエチレンテレフタレート樹脂、フッ素樹脂等が好適である。
【００１７】
また、ゴムとしては、シリコーンゴム、クロロプレンゴム、ポリサルファイドゴム、ウレタンゴム等が好適である。
【００１８】
管状体または棒状体は、ガラス製または樹脂製のものが使用可能であるが、これらに限定されない。
【００１９】
また、被膜層、管状体または棒状体が無色で透明であると、採光性に優れるが、不透明であったり、着色していたり、柄が描かれていたりすると装飾性に優れる。
【００２０】
本発明の建築用ガラス管の実施形態は、大きく２つに分類され、第１の建築用ガラス管は、ガラス管の内面に被膜層が接着してなる。また、第２の建築用ガラス管は、ガラス管の内面に被膜層が接着してなり、被膜層の内面に管状体または棒状体が接着してなる。
【００２１】
次に、本発明の建築用ガラス管の作製方法について説明する。
【００２２】
まず、本発明の第１の建築用ガラス管は、ガラス管の内面に液状のフィルム形成材を塗布し、フィルム形成材を乾燥または硬化させて作製される（方法Ａ）。また別の方法として第１の建築用ガラス管は、樹脂フィルムの片面に、またはガラス管の内面に接着剤を塗布してガラス管の内面に樹脂フィルムを接着させて作製される（方法Ｂ）。
【００２３】
方法Ａにおいて、ガラス管の内面にフィルム形成材を塗布する方法としては、片側の端部にシールを施したガラス管の内孔内にフィルム形成材を充填し、余剰分を除去する方法と、ガラス管の内壁に必要量のフィルム形成材を滴下しコートする方法と、先端部にスプレー口を有するノズルをガラス管の内孔内に挿入してノズルから直接フィルム形成材をガラス管の内面にスプレーする方法がある。
【００２４】
フィルムの厚さは、フィルム形成材の粘度等を調節することで任意に調節することができる。
【００２５】
フィルム形成材としては、アクリル樹脂、ウレタン樹脂、エポキシ樹脂等の樹脂エマルジョンや、エポキシ樹脂、不飽和ポリエステル樹脂、シリコーン樹脂、オキセタン樹脂、ウレタン樹脂等の硬化性樹脂が使用可能である。
【００２６】
一方、方法Ｂにおける樹脂フィルムとしては、ポリカーボネート樹脂、ポリエチレンテレフタレート樹脂、フッ素樹脂等が使用可能である。
【００２７】
次に、本発明の第２の建築用ガラス管は、ガラス管の内孔内にガラス製または樹脂製の管状体または棒状体を配置し、ガラス管と管状体または棒状体の間に液状の硬化性樹脂を充填し、硬化して作製される。
【００２８】
液状の硬化性樹脂を充填する方法としては、ガラス管の片側の端部にシールを施した後、もう一方の端部から液状の硬化性樹脂を注入する方法と、液状の硬化性樹脂にガラス管の片方の端部を浸し、もう一方の端部からポンプ等を用いて吸い上げて充填する方法がある。
【００２９】
硬化性樹脂としては、フィルム形成材と同様の硬化性樹脂が使用可能である。
【００３０】
【実施例】
以下、本発明の建築用ガラス管を実施例に基づいて詳細に説明する。
【００３１】
図１〜３は、本発明の建築用ガラス管を示し、それぞれ（ａ）は、斜視図であり、（ｂ）は、断面図である。
【００３２】
［実施例１］
図１に示すように、建築用ガラス管２０は、ホウ珪酸ガラス製のガラス管２１の内面２１ａに肉厚が５０μｍの無色透明なエポキシ樹脂からなる被膜層２２が接着している。
【００３３】
なお、ガラス管２１は、断面形状が真円の直管であり、外径が５０ｍｍ、長さが１６００ｍｍ、肉厚が２ｍｍである。
【００３４】
［実施例２］
図２に示すように、建築用ガラス管２３は、ガラス管２１の内面２１ａに肉厚が４ｍｍであり、無色透明なシリコーン樹脂からなる被膜層２２が接着しており、ホウ珪酸ガラス製の管状体２４がガラス管２１と同心となるようにガラス管２１の内孔内に挿置され、被膜層２２の内面２２ａに接着している。
【００３５】
なお、管状体２４は、断面形状が真円の直管であり、外径が４４ｍｍ、長さが１６００ｍｍ、肉厚が２ｍｍである。
【００３６】
［実施例３］
図３に示すように、建築用ガラス管２５は、ホウ珪酸ガラス製の管状体２４のかわりに管状体２４と同じ外径を有する円柱状のポリカーボネート製の棒状体２６を使用した以外は実施例２の建築用ガラス管２３と同様に構成されている。
【００３７】
実施例１〜３は、ガラス管２１が破損してもガラスの破片が飛散しにくく、汚れが目立ちにくく、また、ガラスが本来有する高級感が保たれている。
【００３８】
また、実施例２、３は、管状体２４または棒状体２６を備えているため、破損しにくく、ガラス管２１が破損し、被膜層２２が破断しても、ガラスの破片の飛散を防止できる。
【００３９】
【発明の効果】
以上のように、本発明の建築用ガラス管は、ガラス管の内面に被膜層が形成されており、ガラス管が破損しても、ガラスの破片が飛散しにくく、汚れが目立ちにくく、また、ガラスの本来有する高級感が損なわれないため、この建築用ガラス管を複数本用いた建築用部材は、間仕切り、衝立、内外壁面の装飾材料、日よけルーバーとして好適である。
【図面の簡単な説明】
【図１】本発明の実施例１の建築用ガラス管を示し、（ａ）は、斜視図であり、（ｂ）は、断面図である。
【図２】本発明の実施例２の建築用ガラス管を示し、（ａ）は、斜視図であり、（ｂ）は、断面図である。
【図３】本発明の実施例３の建築用ガラス管を示し、（ａ）は、斜視図であり、（ｂ）は、断面図である。
【図４】建築用部材を示す斜視図である。
【符号の説明】
１０、２０、２３、２５　　建築用ガラス管
１１　　建築用部材
２１　　ガラス管
２１ａ、２２ａ　　内面
２２　　被膜層
２４　　管状体
２６　　棒状体
【図１】
2004052259.tif 000003
【図２】
2004052259.tif 000004
【図３】
2004052259.tif 000005
【図４】
2004052259.tif 000006